(57)【要約】  データ伝送を実現する方法及び装置であって、データ受信端のパケットデータコンバージェンスプロトコルＰＤＣＰタイマーの起動条件を満たす時、データ受信端のＰＤＣＰがタイマーを起動し、タイマーの時間長さ内にデータの受信及び順序付けを行うことと、データ受信端のＰＤＣＰタイマーの停止条件を満たす時、タイマーを停止し、且つ順序付けを完成したデータを処理した後上層に伝送することと、タイマーの時間長さが分割ベアラの無線リンク制御ＲＬＣモードに関連することとを含む。本発明の実施例はデータ受信端ＰＤＣＰでタイマーの起動条件を設定することにより、データパケットの受信を行う時、タイミング時間長さ内にデータパケットを受信して順序付けて、タイマー停止条件を満たす時、タイマーを停止して続いてデータパケット伝送を行うことを実現する。ＰＤＣＰデータパケットの効率的な順序付き伝送を実現する。【選択図】図４
2017510148.tif 000002
【特許請求の範囲】
【請求項１】
データ受信端のパケットデータコンバージェンスプロトコルＰＤＣＰタイマーの起動条件を満たす時、データ受信端のＰＤＣＰがタイマーを起動し、タイマーの時間長さ内にデータの受信及び順序付けを行うステップと、
データ受信端のＰＤＣＰタイマーの停止条件を満たす時、タイマーを停止し、且つ順序付けを完成したデータを処理した後上層に伝送するステップと、を含み、
前記タイマーの時間長さが分割ベアラの無線リンク制御ＲＬＣモードに関連するデータ伝送を実現する方法。
【請求項２】
前記タイマーの起動条件は、
前記データ受信端のＰＤＣＰが受信したいずれかのＲＬＣから伝送された１つのＰＤＣＰプロトコルデータ単位ＰＤＵのシリアル番号ＳＮは上層に伝送された前の１つのＰＤＵのＳＮに連続しないこと、
又は、ＰＤＣＰの対応する２つのＲＬＣを１つのＲＬＣに変換したことである請求項１に記載の方法。
【請求項３】
前記タイマーの停止条件は、
前記タイマーの時間長さ値に既に達したこと、
又は、前記タイマーの時間長さ内に、前記データ受信端のＰＤＣＰはタイマーの起動を触発するＰＤＵ ＳＮの前の順序付けを行う必要があるＰＤＣＰ ＰＤＵの受信を完成したことである請求項１に記載の方法。
【請求項４】
前記タイマーの時間長さが分割ベアラのＲＬＣモードに関連することは、
前記分割ベアラが前記ＲＬＣ確認モードＡＭにマッピングされた分割ベアラである場合、前記タイマーの時間長さ値が
マスター基地局とセカンダリー基地局のインターフェースの平均遅延、ＲＬＣ自動再送要求ＡＲＱ最大許可遅延、メディアアクセス制御サブ層ＭＡＣ ＡＲＱ最大遅延、スケジューリング遅延、及びマスター基地局とセカンダリー基地局のインターフェースに関連する遅延の和であり、又は、
前記分割ベアラが前記ＲＬＣ非確認モードＵＭにマッピングされた分割ベアラである場合、前記タイマーの時間長さ値が
マスター基地局とセカンダリー基地局のインターフェースの平均遅延、ＭＡＣ ＡＲＱ最大遅延、スケジューリング遅延、マスター基地局とセカンダリー基地局のインターフェースと関連する遅延の和であることである請求項１に記載の方法。
【請求項５】
該方法は、前記タイマーが計時を起動する期間に、新たなタイマーを起動して計時しないことを更に含む請求項２に記載の方法。
【請求項６】
前記データ受信端はマスター基地局ＭｅＮＢ、又はユーザ端末ＵＥである請求項１に記載の方法。
【請求項７】
前記データ受信端がＭｅＮＢである時、前記タイマーの時間長さ値はＭｅＮＢ自身で設定され、
前記データ受信端がＵＥである時、前記タイマーの時間長さ値はＭｅＮＢにより制御プレーンメッセージでＵＥに対して指示して設定され、
前記制御プレーンメッセージは、無線リソース制御ＲＲＣメッセージ、又はＰＤＣＰ層制御プレーンＰＤＵ、又は新設制御プレーンシグナルである請求項６に記載の方法。
【請求項８】
前記分割ベアラが前記ＲＬＣ ＡＭにマッピングされた分割ベアラであり、且つ前記分割ベアラリンクを解放した後、該方法は、
前記データ受信端は順序付けを行う必要があるＰＤＣＰ ＰＤＵを受信していないのでデータ送信端へＰＤＣＰステータスレポートを送信してデータ再送を要求し、前記データ受信端ＰＤＣＰは前記タイマーを再起動し、データの受信を行うようにすることを更に含む請求項１に記載の方法。
【請求項９】
前記再起動されたタイマーが停止する時、該方法は、
前記データ受信端は順序付けを行う必要があるＰＤＣＰ ＰＤＵを受信していると、順序付け、処理後のデータパケットを上層に送信するステップと、
前記データ受信端はすべての順序付けを行う必要があるＰＤＣＰ ＰＤＵを受信していないと、前記データ受信端ＰＤＣＰは受信したＳＮがタイマーの起動を触発するＳＮより小さいＰＤＣＰ ＰＤＵを、順序付け処理後上層に送信するステップと、を更に含む請求項８に記載の方法。
【請求項１０】
触発起動ユニット、触発停止ユニットを含み、
触発起動ユニットは、データ受信端のパケットデータコンバージェンスプロトコルＰＤＣＰタイマーの起動条件を満たす時、タイマーを起動し、タイマーの時間長さ内にデータの受信及び順序付けを行い、
前記タイマーの時間長さが分割ベアラの無線リンク制御ＲＬＣモードに関連するように設定され、
触発停止ユニットは、データ受信端のＰＤＣＰタイマーの停止条件を満たす時、タイマーを停止し、且つ順序付けを完成したデータを処理した後上層に伝送するように設定されるデータ伝送を実現する装置。
【請求項１１】
前記触発起動ユニットは、タイマーの起動条件を判断し、前記データ受信端のＰＤＣＰが受信いずれかのＲＬＣから伝送された１つのＰＤＣＰプロトコルデータ単位ＰＤＵのシリアル番号ＳＮは上層に伝送された前の１つのＰＤＵのＳＮに連続しない時、又は、ＰＤＣＰの対応する２つのＲＬＣを１つのＲＬＣに変換した時、タイマーを起動するように設定される条件判断モジュールを含む請求項１０に記載の装置。
【請求項１２】
前記触発停止ユニットはタイマー停止条件を判断し、前記タイマーの時間長さ値に既に達した時、又は、前記タイマーの時間長さ内に、前記データ受信端のＰＤＣＰはタイマーの起動を触発するＰＤＵ ＳＮの前の順序付けを行う必要があるＰＤＣＰ ＰＤＵを完成した時、タイマーを停止するように設定される停止判断モジュールを含む請求項１０に記載の装置。
【請求項１３】
該装置は、前記タイマーの時間長さが分割ベアラの無線リンク制御ＲＬＣモードに関連することにより、タイマーの時間長さが
前記分割ベアラが前記ＲＬＣ確認モードＡＭにマッピングされた分割ベアラである場合、前記タイマーの時間長さ値が
マスター基地局とセカンダリー基地局のインターフェースの平均遅延、ＲＬＣ自動再送要求ＡＲＱ最大許可遅延、 メディアアクセス制御サブ層ＭＡＣ ＡＲＱ最大遅延、スケジューリング遅延、及びマスター基地局とセカンダリー基地局のインターフェースの平均遅延に関連する遅延の和であり、
前記分割ベアラが前記ＲＬＣ非確認モードＵＭにマッピングされた分割ベアラである場合、前記タイマーの時間長さ値が
マスター基地局とセカンダリー基地局のインターフェースの平均遅延、ＭＡＣ ＡＲＱ最大遅延、スケジューリング遅延、マスター基地局とセカンダリー基地局のインターフェースと関連する遅延の和であるように計算するように設定される計時計算ユニットを更に含む請求項１０に記載の装置。
【請求項１４】
前記タイマーが計時を起動する期間に、新たなタイマーを起動して計時しない請求項１１に記載の装置。
【請求項１５】
前記データ受信端は、マスター基地局ＭｅＮＢ、又は、ユーザ端末ＵＥである請求項１０に記載の装置。
【請求項１６】
前記データ受信端がＭｅＮＢである時、前記タイマーの時間長さ値はＭｅＮＢ自身で設定され、前記データ受信端がＵＥである時、前記タイマーの時間長さ値はＭｅＮＢにより制御プレーンメッセージでＵＥに対して指示して設定され、
前記制御プレーンメッセージは、無線リソース制御ＲＲＣメッセージ、又はＰＤＣＰ層制御プレーンＰＤＵ、又は新設制御プレーンシグナルである請求項１５に記載の装置。
【請求項１７】
該装置は、前記分割ベアラが前記ＲＬＣ ＡＭにマッピングされた分割ベアラであり、分割ベアラリンクを解放した後、データ受信端は順序付けを行う必要があるＰＤＣＰ ＰＤＵパケットを受信していない時、データ受信端がデータ送信端へＰＤＣＰステータスレポートを送信することによって、タイマー再起動を要求してデータを伝送するように設定されるタイムアウト処理ユニットを更に含む請求項１０に記載の装置。
【請求項１８】
前記タイムアウト処理ユニットは、タイマーが停止する時、
前記受信端が順序付けを行う必要があるＰＤＣＰ ＰＤＵを受信した場合、順序付け、処理後のＰＤＣＰ ＰＤＵを上層に送信する；
前記受信端すべての順序付けを行う必要があるＰＤＣＰ ＰＤＵを受信していない場合、受信したＳＮがタイマーの起動を触発するＳＮより小さいＰＤＣＰ ＰＤＵを順序付け処理した後上層に送信するように設定される受信処理モジュールを更に含む請求項１７に記載の装置。
【発明の詳細な説明】
【技術分野】
【０００１】
本発明は、移動通信分野に関し、特にデータ伝送を実現する方法及び装置に関する。
【背景技術】
【０００２】
無線通信技術とプロトコル標準の絶え間ない進化とともに、モバイルパケットサービスは大幅に発展し、単一の端末のデータスループット能力は絶えず向上している。ロングタームエボリューション（ＬＴＥ）システムを例として、２０ＭＨｚの帯域幅内にダウンリンクの最大速度が１００Ｍｂｐｓのデータの伝送をサポートでき、後続の強化ＬＴＥ（ＬＴＥ‐Ａ）システムにおいては、データの伝送速度は更に向上し、ひいては１Ｇｂｐｓに達する可能性がある。
【０００３】
端末データのサービス量の急速の増加により、移動ネットワークのサービス能力及び配置ポリシーは大きな圧力とチャレンジに直面させる。オペレータは現有のネットワーク配置及び通信技術を増強するとともに、新たな技術の普及及びネットワーク開発を希望し、それによりネットワーク性能を急速に向上させる目的を達成する。移動通信システムは今まで発展してきて、マクロネットワークの強化のみで経済的、柔軟、高能力のサービスを提供することはますます困難になり、このため、低電力ノード（ＬＰＮ）を配置することによりスモールセルのカバレッジを提供するネットワークポリシーは注目される解決策になる。
【発明の概要】
【発明が解決しようとする課題】
【０００４】
上記技術的問題を解決するために、本発明は、ＰＤＣＰがデータパケット分割伝送を行う時、２つのＲＬＣ遅延によるデータパケット順序混乱問題を解決して、データパケットの効率的な順序付けを実現するデータ伝送を実現する方法及び装置を開示する。
【課題を解決するための手段】
【０００５】
本出願の目的を達成するために、本発明はデータ伝送を実現する方法を提供する。前記方法は、
データ受信端のパケットデータコンバージェンスプロトコルＰＤＣＰタイマーの起動条件を満たす時、データ受信端のＰＤＣＰがタイマーを起動し、タイマーの時間長さ内にデータの受信及び順序付けを行うステップと、
データ受信端のＰＤＣＰタイマーの停止条件を満たす時、タイマーを停止し、且つ順序付けを完成したデータを処理した後上層に伝送するステップと、
タイマーの時間長さが分割ベアラ（shunting bearer）の無線リンク制御ＲＬＣモードに関連するステップと、を含む。
【０００６】
好ましくは、タイマーの起動条件は、
前記データ受信端のＰＤＣＰが受信したいずれかのＲＬＣから伝送された１つのＰＤＣＰプロトコルデータ単位ＰＤＵのシリアル番号ＳＮは上層に伝送された前の１つのＰＤＵのＳＮに連続しないこと、
又は、ＰＤＣＰの対応する２つのＲＬＣを１つのＲＬＣに変換することである。
【０００７】
好ましくは、タイマー停止条件は、
前記タイマーの時間長さ値に既に達したこと、
又は、前記タイマーの時間長さ内に、前記データ受信端のＰＤＣＰは、タイマーの起動を触発するＰＤＵ ＳＮの前の順序付けを行う必要があるＰＤＣＰ ＰＤＵの受信を完成したことである。
【０００８】
好ましくは、タイマーの時間長さが分割ベアラのＲＬＣモードに関連することは、
前記分割ベアラが前記ＲＬＣ確認モードＡＭにマッピングされた分割ベアラである場合、前記タイマーの時間長さ値が
マスター基地局とセカンダリー基地局のインターフェースの平均遅延、ＲＬＣ自動再送要求ＡＲＱ最大許可遅延、メディアアクセス制御サブ層ＭＡＣ ＡＲＱ最大遅延、スケジューリング遅延、及びマスター基地局とセカンダリー基地局のインターフェースに関連する遅延の和であり、又は、
前記分割ベアラが前記ＲＬＣ非確認モードＵＭにマッピングされた分割ベアラである場合、前記タイマーの時間長さ値が
マスター基地局とセカンダリー基地局のインターフェースの平均遅延、ＭＡＣ ＡＲＱ最大遅延、スケジューリング遅延、マスター基地局とセカンダリー基地局のインターフェースに関連する遅延の和であることである。
【０００９】
好ましくは、該方法は、前記タイマーが計時を起動する期間に、新たなタイマーを起動して計時しないことを更に含む。
【００１０】
好ましくは、データ受信端がマスター基地局ＭｅＮＢ、又はユーザ端末ＵＥである。
【００１１】
好ましくは、前記データ受信端がＭｅＮＢである時、前記タイマーの時間長さ値はＭｅＮＢ自身で設定され、
前記データ受信端がＵＥである時、前記タイマーの時間長さ値はＭｅＮＢにより制御プレーンメッセージでＵＥに対して指示し設定され、
前記制御プレーンメッセージは、無線リソース制御ＲＲＣメッセージ、又はＰＤＣＰ層制御プレーンＰＤＵ、又は新設制御プレーンシグナルである。
【００１２】
好ましくは、前記分割ベアラが前記ＲＬＣ ＡＭにマッピングされた分割ベアラであり、且つ前記分割ベアラリンクを解放した後、該方法は、
前記データ受信端は順序付けを行う必要があるＰＤＣＰ ＰＤＵを受信していないのでデータ送信端へＰＤＣＰステータスレポートを送信してデータ再送を要求し、前記データ受信端ＰＤＣＰは前記タイマーを再起動し、データの受信を行うようにすることを更に含む。
【００１３】
好ましくは、再起動されたタイマーが停止する時、該方法は、
前記データ受信端は順序付けを行う必要があるＰＤＣＰ ＰＤＵを受信していると、順序付け、処理後のデータパケットを上層に送信するステップと、
前記データ受信端はすべての順序付けを行う必要があるＰＤＣＰ ＰＤＵを受信していないと、前記データ受信端ＰＤＣＰは受信したＳＮがタイマーの起動を触発するＳＮより小さいＰＤＣＰ ＰＤＵを、順序付け処理後上層に送信するステップと、を更に含む。
【００１４】
一方、本出願はデータ伝送を実現する装置を更に提供し、触発起動ユニット、触発停止ユニットを含み、
触発起動ユニットは、データ受信端のパケットデータコンバージェンスプロトコルＰＤＣＰタイマーの起動条件を満たす時、タイマーを起動し、タイマーの時間長さ内にデータの受信及び順序付けを行い、
前記タイマーの時間長さが分割ベアラの無線リンク制御ＲＬＣモードに関連するように設定される。
【００１５】
触発停止ユニットは、データ受信端のＰＤＣＰタイマーの停止条件を満たす時、タイマーを停止し、且つ順序付けを完成したデータを処理した後上層に伝送するように設定される。
好ましくは、触発起動ユニットは、タイマーの起動条件を判断し、前記データ受信端のＰＤＣＰが受信したいずれかのＲＬＣから伝送された１つのＰＤＣＰプロトコルデータ単位ＰＤＵのシリアル番号ＳＮは上層に伝送された前の１つのＰＤＵのＳＮに連続しない時、又は、ＰＤＣＰの対応する２つのＲＬＣを１つのＲＬＣに変換する時、タイマーを起動するように設定される条件判断モジュールを含む。
【００１６】
好ましくは、触発停止ユニットは、タイマー停止条件を判断し、前記タイマーの時間長さ値に既に達した時、又は、前記タイマーの時間長さ内に、前記データ受信端のＰＤＣＰはタイマーの起動を触発するＰＤＵ ＳＮの前の順序付けを行う必要があるＰＤＣＰ ＰＤＵを完成した時、タイマーを停止するように設定される停止判断モジュールを含む。
【００１７】
好ましくは、該装置は、前記タイマーの時間長さが分割ベアラの無線リンク制御ＲＬＣモードに関連することにより、タイマーの時間長さが、
前記分割ベアラが前記ＲＬＣ確認モードＡＭにマッピングされた分割ベアラである場合、前記タイマーの時間長さ値が
マスター基地局とセカンダリー基地局のインターフェースの平均遅延、ＲＬＣ自動再送要求ＡＲＱ最大許可遅延、 メディアアクセス制御サブ層ＭＡＣ ＡＲＱ最大遅延、スケジューリング遅延、及びマスター基地局とセカンダリー基地局のインターフェースの平均遅延に関連する遅延の和であり、
前記分割ベアラが前記ＲＬＣ非確認モードＵＭにマッピングされた分割ベアラである場合、前記タイマーの時間長さ値が
マスター基地局とセカンダリー基地局のインターフェースの平均遅延、ＭＡＣ ＡＲＱ最大遅延、スケジューリング遅延、マスター基地局とセカンダリー基地局のインターフェースに関連する遅延の和であることであるように計算するように設定される計時計算ユニットを更に含む。
【００１８】
好ましくは、タイマーが計時を起動する期間に、新たなタイマーを起動して計時しない。
【００１９】
好ましくは、データ受信端は、マスター基地局 ＭｅＮＢ、又は、ユーザ端末ＵＥである。
【００２０】
好ましくは、前記データ受信端がＭｅＮＢである時、前記タイマーの時間長さ値はＭｅＮＢ自身で設定され、前記データ受信端がＵＥである時、前記タイマーの時間長さ値はＭｅＮＢにより制御プレーンメッセージでＵＥに対して指示し設定され、
前記制御プレーンメッセージは、無線リソース制御ＲＲＣメッセージ、又はＰＤＣＰ層制御プレーンＰＤＵ、又は新設制御プレーンシグナルである。
【００２１】
好ましくは、該装置は、前記分割ベアラが前記ＲＬＣ ＡＭにマッピングされた分割ベアラであり、分割ベアラリンクを解放した後、データ受信端は順序付けを行う必要があるＰＤＣＰ ＰＤＵパケットを受信していない時、データ受信端がデータ送信端へＰＤＣＰステータスレポートを送信することによって、タイマー再起動を要求してデータを伝送するように設定されるタイムアウト処理ユニットを更に含む。
【００２２】
好ましくは、タイムアウト処理ユニットは、タイマーが停止する時、
前記受信端が順序付けを行う必要があるＰＤＣＰ ＰＤＵを受信した場合、順序付け、処理後のＰＤＣＰ ＰＤＵを上層に送信し、
前記受信端がすべての順序付けを行う必要があるＰＤＣＰ ＰＤＵを受信していない場合、受信したＳＮがタイマーの起動を触発するＳＮより小さいＰＤＣＰ ＰＤＵを順序付け処理した後上層に送信するように設定される受信処理モジュールを更に含む。本出願は技術的手段を提出し、データ受信端のパケットデータコンバージェンスプロトコルＰＤＣＰタイマーの起動条件を満たす時、データ受信端のＰＤＣＰがタイマーを起動し、タイマーの時間長さ内にデータの受信及び順序付けを行うステップと、データ受信端のＰＤＣＰタイマーの停止条件を満たす時、タイマーを停止し、且つ順序付けを完成したデータを処理した後上層に伝送するステップと、タイマーの時間長さが分割ベアラの無線リンク制御ＲＬＣモードに関連するステップと、を含む。
【発明の効果】
【００２３】
本発明の実施例はＰＤＣＰでタイマーの起動条件を設定することにより、データパケットの伝送を行う時、タイミング時間長さ内にデータパケットに対して伝送及び順序付けを行い、タイマーの停止条件を満たす時、タイマーを停止して続いてデータパケットを伝送することを実現する。ＰＤＣＰデータパケットの効率的な順序付き伝送を実現する。
【図面の簡単な説明】
【００２４】
ここで説明する図面は本発明に対しての更なる理解を更に提供し、本出願の一部を構成し、本発明の模式的な実施例及びその説明は本発明を解釈することに用いられ、本発明に対する不当な制限を構成しない。図面において、
【図１】図１は、本発明の実施例の適用されたシステムアーキテクチャーネットワークの配置模式図である。
【図２】図２は、本発明の実施例の適用されたベアラレベル分割伝送模式図である。
【図３】図３は、本発明の実施例に応用されたユーザプレーンプロトコルスタック模式図である。
【図４】図４は、本発明の実施例のデータ伝送を実現する方法のフローチャートである。
【図５】図５は、本発明の実施例のデータ伝送を実現する装置の構造ブロック図である。
【図６】図６は、本発明のデータ伝送を実現する第１実施例のフローチャートである。
【図７】図７は、本発明のデータ伝送を実現する第２実施例の模式図である。
【図８】図８は、本発明データ伝送を実現する第３実施例のフローチャートである。
【発明を実施するための形態】
【００２５】
スモールセルの配置及び能力での強化は既に第３世代パートナーシッププログラム（３ＧＰＰ）で将来のネットワーク発展におけるもっとも興味深い課題の１つと確認される。現在、業界ではマクロ基地局のカバレッジ範囲内又は境界で低電力ノードを配置し、２つのものは共同に進化型ユニバーサル地上無線アクセスネットワーク（Ｅ‐ＵＴＲＡＮ）システムアーキテクチャにおけるアクセスネットワークを構成し、それによりユーザ設備（ＵＥ）に連合的なデータ伝送サービスを提供する場面には非常に認可され、且つ既に基本的にこのようなシステムアーキテクチャを確定する。図１は、本発明の実施例の適用されたシステムアーキテクチャーネットワークの配置模式図であり、図１に示すように、このようなシステムアーキテクチャにおいて、コアネットワーク（Core Network、ＣＮと略称する）におけるモビリティ管理エンティティ（Mobility Management Entity、ＭＭＥと略称する）にＳ１‐ＭＭＥインターフェースが確立され、且つＣＮでモバイルアンカーと見なす基地局はマスター基地局（Master eNB、ＭｅＮＢと略称する）と称し、ＭｅＮＢ以外、ＵＥに追加の無線リソースのノードを提供し、セカンダリー基地局（Secondary eNB、ＳｅＮＢと略称する）と称する。ＭｅＮＢとＳｅＮＢとの間に存在するデータ伝送インターフェースは、制御プレーンメッセージとユーザプレーンデータを伝送できる。ＭｅＮＢとＳｅＮＢはＵＥとの間にいずれも無線インターフェース（一般的にＵｕを指す）が確立され、即ち、ＵＥは二重接続状態（Dual Connectivity、ＤＣと略称する）にある。
【００２６】
図２は、本発明の実施例の適用されたベアラレベル分割伝送模式図であり、図２に示すように、システムアーキテクチャでのダウンリンクデータを例とし、ＥＰＳベアラ（bearer）♯１の伝送操作は従来技術と同様に、サービスゲートウェイ（Serving Gateway、Ｓ‐ＧＷと略称する）からＳ１‐ＵインターフェースによりＭｅＮＢに送信され、更にＭｅＮＢでＵｕインターフェースによりＵＥに送信されるが、ＥＰＳ bearer ♯２の伝送はＳ‐ＧＷからＳ１‐ＵインターフェースによりデータパケットをＭｅＮＢに送信した後、ＭｅＮＢは一部のデータパケットのみをＵｕインターフェースによりＵＥに送信し、他の部分のデータパケットをマスター基地局とセカンダリー基地局データインターフェースによりＳｅＮＢに伝送し、更にＳｅＮＢからＵｕインターフェースによりＵＥに送信する。このように、同一のベアラのデータパケットは２つの基地局の無線リソースにより送信され、該分割ベアラ（即ちＥＰＳ bearer ♯２）のスループットを大幅に向上し、ＵＥのデータ速度要求を満たす。
【００２７】
図３は、本発明の実施例に応用されたユーザプレーンプロトコルスタック模式図であり、図３に示すように、分割ベアラは２つの独立的な無線リンク制御（Radio Link Control、ＲＬＣと略称する）及び以下の各プロトコル層を備える。つまり、データの送信端で、確定された分割ポリシーに従って、パケットデータコンバージェンスプロトコル（Packet Data Convergence Protocol、ＰＤＣＰと略称する）層は分割されたデータパケットＰＤＣＰプロトコルデータユニット（Protocol Data Unit、ＰＤＵと略称する）を分割ノードのＲＬＣ層に送信し、他の部分のデータパケットは自身のＲＬＣ層（及び以下の各プロトコル層）で送信され、データの受信端で、２つのＲＬＣ層は受信したデータパケットを処理した後統一のＰＤＣＰ層に伝送する。
【００２８】
もとの単一接続（即ち分割されない）のユーザプレーンアーキテクチャにおいて、受信端のＰＤＣＰは１つのＲＬＣエンティティからのデータパケットのみを受信し、且つデータパケットはＰＤＣＰのシリアル番号（Sequence Number、ＳＮと略称する）のマークにより順次に送信される。ＲＬＣ確認モード（Acknowledge Mode、ＡＭと略称する）のベアラに対して、そのデータパケットの伝送がより連続的、完全的なものである。しかし、２つの伝送リンクを採用する対応するＲＬＣはそれぞれ独立する時、ＲＬＣはそれぞれＰＤＣＰへ順次に配列されたデータパケットを送信するが、データパケットを統一に受信するＰＤＣＰにとって、２つのＲＬＣから受信したデータパケットの間には順序混乱のものである可能性が高く、これは、データパケットを伝送するデータリンクの遅延が異なることである。このため、受信端のＰＤＣＰはデータパケットに対して統一な順序付けを行う必要がある。一般的には、ＬＴＥシステムにおいて、順序付けはタイマーを配置する方法を採用できるが、ユーザプレーンアーキテクチャでのＰＤＣＰ層の順序付けについて、どのようにタイマーを合理的に配置して管理することは緊急に解決する必要がある問題である。
【００２９】
図４は、本発明のデータ伝送を実現する方法のフローチャートであり、図４に示すように、以下のステップを含む。
【００３０】
ステップ４００、データ受信端のパケットデータコンバージェンスプロトコル（ＰＤＣＰ）タイマーの起動条件を満たす時、データ受信端のＰＤＣＰがタイマーを起動し、タイマーの時間長さ内にデータの受信及び順序付けを行う。
【００３１】
タイマーの時間長さが分割ベアラの無線リンク制御（ＲＬＣ）モードに関連する。
【００３２】
本ステップにおいて、タイマーの起動条件は、データ受信端のＰＤＣＰが受信したいずれかのＲＬＣから伝送された１つのＰＤＣＰプロトコルデータ単位（ＰＤＵ）のシリアル番号（ＳＮ）は上層に伝送された前の１つのＰＤＵのＳＮに連続しないこと、又は、ＰＤＣＰの対応する２つのＲＬＣを１つのＲＬＣに変換したことである。
【００３３】
なお、ここでのＰＤＵのＳＮ連続は自然数に類似するような配列連続、例えばＮ、Ｎ＋１、Ｎ＋２（Ｎが非負整数である）を指し、また、ＳＮが最大値に達した後の転覆連続を更に含み、例えばＳＮの長さがＬビットであると、ＳＮ（初期値が０である）が最大値２のＬ乗−１のデータパケットは次のＳＮ＝０のデータパケットと連続的なものである。
【００３４】
更に、タイマーの時間長さが分割ベアラのＲＬＣモードに関連することは、
分割ベアラがＲＬＣ確認モード（ＡＭ）にマッピングされた分割ベアラである場合、タイマーの時間長さ値が
マスター基地局とセカンダリー基地局のインターフェースの平均遅延、ＲＬＣ自動再送要求（ＡＲＱ）最大許可遅延、メディアアクセス制御サブ層（ＭＡＣ）ＡＲＱ最大遅延、スケジューリング遅延、及びマスター基地局とセカンダリー基地局のインターフェースに関連する遅延の和であり、又は、
分割ベアラがＲＬＣ非確認モード（ＵＭ）にマッピングされた分割ベアラである場合、タイマーの時間長さ値が
マスター基地局とセカンダリー基地局のインターフェースの平均遅延、ＭＡＣ ＡＲＱ最大遅延、スケジューリング遅延、マスター基地局とセカンダリー基地局のインターフェースに関連する遅延の和であることである。
【００３５】
なお、マスター基地局とセカンダリー基地局のインターフェースに関連する遅延はマスター基地局とセカンダリー基地局のインターフェースの平均遅延に相対的な遅延であり、マスター基地局とセカンダリー基地局のインターフェースの平均遅延は通信過程においてプロトコルがデータ伝送過程を統計して得られた平均値であり、マスター基地局とセカンダリー基地局のインターフェースに関連する遅延とは、システムの性能とデータ伝送に対する要求に基づいて設定されたマスター基地局とセカンダリー基地局のインターフェースの平均遅延に関連する時間長さデータであり、一般的にシステム性能要求及び取得及び記録された遅延データに基づいて設定され、具体的に実際な状況に応じて設定される。
【００３６】
データ受信端はマスター基地局（ＭｅＮＢ）、又はユーザ端末（ＵＥ）である。
【００３７】
データ受信端がＵＥである時、タイマーの時間長さ値はＭｅＮＢにより制御プレーンメッセージでＵＥに対して指示し設定され、
制御プレーンメッセージは、無線リソース制御ＲＲＣメッセージ、又はＰＤＣＰ層制御プレーンＰＤＵ、又は新設制御プレーンシグナルである。
【００３８】
タイマーの起動条件を設定することにより、ＰＤＣＰデータ伝送がタイミングを必要とする時に計時し、タイマーの時間長さ設定に応じてデータパケットの受信及び順序付けを行い、合理の時間長さ内に、データ受信端のＰＤＣＰは順次に受信されていないデータパケットを待って、且つ待つ時間が長すぎることによるデータチャンネル/キャッシュの渋滞がないことを実現し、これによりデータ伝送の有効性、信頼性を兼ねる。
ステップ４０１、データ受信端のＰＤＣＰタイマーの停止条件を満たす時、タイマーを停止し、且つ順序付けを完成したデータを処理した後上層に伝送する。
【００３９】
本ステップにおいて、タイマー停止の条件は、タイマーの時間長さ値に既に達したこと、又は、タイマーの時間長さ内に、データ受信端のＰＤＣＰがタイマーの起動を触発するＰＤＵ ＳＮの前の順序付けを行う必要があるＰＤＣＰ ＰＤＵを完成したことである。
【００４０】
なお、順序付けを行う必要があるＰＤＣＰ ＰＤＵとは、プロトコル要求の需要に従って伝送を行うデータである。データ伝送はプロトコルにおいてネットワーク層構造に従って層ごとに上へ伝送し、ここでの上層とはデータ伝送の次のステップのプロトコル層である。また、順序付け後ＰＤＣＰでの処理は当業者の慣用技術手段に属し、処理後上層に伝送する記述は方案の完全のためのものである。    
【００４１】
本発明の実施例の方法は、タイマーが計時を起動する期間に、新たなタイマーを起動して計時しないことを更に含む。
【００４２】
タイマー停止条件を満たす時、タイマーを停止し、データの次の伝送を行い、タイマーの管理により、順序付け後のデータパケットのタイムリーかつ効果的な伝送を実現し、データパケットの正確的な順序付けを保証するうえに、システムのデータ伝送の効率的な性能も保証する。
【００４３】
分割ベアラがＲＬＣ ＡＭにマッピングされた分割ベアラであり、且つ分割ベアラリンクを解放した後、本発明の方法は、前記データ受信端は順序付けを行う必要があるＰＤＣＰ ＰＤＵを受信していないのでデータ送信端へＰＤＣＰステータスレポートを送信してデータ再送を要求し、データ受信端ＰＤＣＰは前記タイマーを再起動し、データの受信を行うようにすることを更に含む。
【００４４】
更に、再起動されたタイマーが停止する時、本発明方法は、
データ受信端が順序付けを行う必要があるＰＤＣＰ ＰＤＵを受信すると、順序付け後のデータを上層に送信するステップと、
データ受信端がすべての順序付けを行う必要があるＰＤＣＰ ＰＤＵを受信していないと、前記データ受信端ＰＤＣＰは受信したＳＮがタイマーの起動を触発するＳＮより小さいＰＤＣＰ ＰＤＵを、順序付け処理した後上層に送信するステップと、を更に含む。
【００４５】
図５は、本発明の実施例のデータ伝送を実現する装置の構造ブロック図であり、図５に示すように、
触発起動ユニット、触発停止ユニットを含み、
触発起動ユニットは、データ受信端のＰＤＣＰタイマーの起動条件を満たす時、タイマーを起動し、タイマーの時間長さ内にデータの受信及び順序付けを行うことに用いられる。
【００４６】
触発起動ユニットは、タイマーの起動条件を判断し、データ受信端のＰＤＣＰが受信したいずれかのＲＬＣから伝送された１つのＰＤＣＰ ＰＤＵのシリアル番号ＳＮは受信した前の１つのＰＤＵ のＳＮに連続しない時、又は、ＰＤＣＰの対応する２つのＲＬＣを１つのＲＬＣに変換した時、タイマーを起動するための条件判断モジュールを含む。
【００４７】
タイマーの時間長さは分割ベアラのＲＬＣモードに関連する。
【００４８】
触発停止ユニットは、データ受信端のＰＤＣＰタイマーの停止条件を満たす時、タイマーを停止し、且つ順序付けを完成したデータを処理した後上層に伝送することに用いられる。
【００４９】
触発停止ユニットは、タイマー停止条件を判断し、タイマーの時間長さ値に既に達した時、又は、タイマーの時間長さ内に、データ受信端のＰＤＣＰはタイマーの起動を触発するＰＤＣＰ ＰＤＵの前の順序付けを行う必要があるＰＤＣＰ ＰＤＵを完成した時、タイマーを停止するための停止判断モジュールを含む。
【００５０】
本発明の実施例の装置は、前記タイマーの時間長さが分割ベアラのＲＬＣモードに関連することにより、タイマーの時間長さが
分割ベアラがＲＬＣ確認モード（ＡＭ）にマッピングされた分割ベアラである場合、前記タイマーの時間長さ値が
マスター基地局とセカンダリー基地局のインターフェースの平均遅延、ＲＬＣ ＡＲＱ最大許可遅延、ＭＡＣ ＡＲＱ最大遅延、スケジューリング遅延、及びマスター基地局とセカンダリー基地局のインターフェースに関連する遅延の和であり、
分割ベアラがＲＬＣ非確認モード（ＵＭ）にマッピングされた分割ベアラである場合、前記タイマーの時間長さ値が
マスター基地局とセカンダリー基地局のインターフェースの平均遅延、 ＭＡＣ ＡＲＱ最大遅延、スケジューリング遅延 、マスター基地局とセカンダリー基地局のインターフェースに関連する遅延の和であることであるように計算することに用いられる計時計算ユニットを更に含む。
【００５１】
本発明の実施例のタイマーが計時を起動する期間に、新たなタイマーを起動して計時しない。
【００５２】
更に、データ受信端は、ＭｅＮＢ、又はＵＥである。
【００５３】
データ受信端がＭｅＮＢである時、タイマーの時間長さ値はＭｅＮＢ自身で設定され、データ受信端がＵＥである時、タイマーの時間長さ値はＭｅＮＢにより制御プレーンメッセージでＵＥに対して指示し設定され、
制御プレーンメッセージは、無線リソース制御（ＲＲＣ）メッセージ、又はＰＤＣＰ層制御プレーン（ＰＤＵ）、又は新設制御プレーンシグナルである。
【００５４】
本発明の実施例の装置は、前記分割ベアラが前記ＲＬＣ ＡＭにマッピングされた分割ベアラであり、分割ベアラリンクを解放した後、データ受信端は順序付けを行う必要があるＰＤＣＰ ＰＤＵパケットを受信していない時、データ受信端がデータ送信端へＰＤＣＰステータスレポートを送信することによって、タイマーの再起動を行いデータを伝送するためのタイムアウト処理ユニットを更に含む。
【００５５】
更に、タイムアウト処理ユニットは、タイマーが停止する時、
受信端が順序付けを行う必要があるＰＤＣＰ ＰＤＵを受信した場合、ＰＤＣＰ ＰＤＵを順序付けして上層に送信し、
受信端がすべての順序付けを行う必要があるＰＤＣＰ ＰＤＵを受信していない場合、受信したＳＮがタイマーの起動を触発するＳＮより小さいＰＤＣＰ ＰＤＵを順序付け処理した後上層に送信するための受信処理モジュールを更に含む。
【００５６】
以下、具体的な実施例を結合して伝送端末の受信端から本発明の方法を詳しく説明し、実施例は単に本発明を明確に説明するためのものであり、本発明の保護範囲を示すためのものではない。
【００５７】
実施例１
図６は、本発明データ伝送を実現する第１実施例のフローチャートであり、図６に示すように、
最初にＵＥが単一接続状態にあり、ＭｅＮＢの間のみにデータ伝送があり、対応する操作規範はいずれも現在のプロトコル標準と同じである。ユーザ端末はデータ伝送を実行していて、マスター基地局は無線信号品質測定報告、又は、ノードの負荷状況等の情報を受信し、ＳｅＮＢを添加して分割する必要がある時、その具体的なステップは以下の通りである。
【００５８】
ステップ６００、ＵＥのユーザプレーンの無線信号品質測定報告及び/又は、ノードの負荷状況等の情報に基づいて、ＭｅＮＢはＳｅＮＢの添加ポリシーを選択して、ＳｅＮＢを選択して分割ノードとする。
【００５９】
ステップ６０１、ＭｅＮＢはＳｅＮＢへ分割リソースの要求情報を要求し、且つＳｅＮＢが返信した応答情報（分割を同意する、許可された分割リソースに対する無線配置等の情報が載せられたメッセージ）を得る。
【００６０】
ステップ６０２、ＭｅＮＢはＲＲＣ再配置接続メッセージによりＵＥへ新たなリソース配置を指示し、メッセージに分割ベアラのＰＤＣＰに配置されたタイマーの時間長さが載せられる。
【００６１】
本ステップにおいて、タイマーの時間長さが分割ベアラのマッピングのＲＬＣモードに関連し、ＲＬＣ ＡＭにマッピングされた分割ベアラに対して、タイマーの時間長さ値は、
分割ベアラがＲＬＣ ＡＭにマッピングされた分割ベアラである場合、タイマーの時間長さ値が
マスター基地局とセカンダリー基地局のインターフェースの平均遅延、ＲＬＣ ＡＲＱ最大許可遅延、ＭＡＣ ＡＲＱ最大遅延、スケジューリング遅延、及びマスター基地局とセカンダリー基地局のインターフェースに関連する遅延の和であり、又は、
分割ベアラがＲＬＣ ＵＭにマッピングされた分割ベアラである場合、タイマーの時間長さ値は、
マスター基地局とセカンダリー基地局のインターフェースの平均遅延、ＭＡＣ ＡＲＱ最大遅延、スケジューリング遅延、マスター基地局とセカンダリー基地局のインターフェースに関連する遅延の和であることである。
【００６２】
ステップ６０３、ＵＥはＲＲＣ再配置接続メッセージを受信した後、新たなリソース配置を行い、且つ配置を完成した後ＭｅＮＢへ再配置接続完成メッセージを返信する。
【００６３】
ステップ６０４、ＵＥは接続するようにＳｅＮＢへランダムアクセス情報を送信する。
【００６４】
ステップ６０５、アクセスが成功した後、ＳｅＮＢはＭｅＮＢへ添加完成メッセージを送信する。
【００６５】
ステップ６０６、ＭｅＮＢはＳｅＮＢがその自身の無線リソースを利用して更にデータパケットをＵＥに送信するようにＳｅＮＢへデータを送信する。
【００６６】
なお、図においてＭｅＮＢがＵＥへデータを送信することは従来技術であり、図に示すのは、単にＰＤＣＰ ＰＤＵを含むデータパケットの送信がより明確且つ完全になるためである。
【００６７】
システムアーキテクチャ及びユーザプレーンモードでは、ＵＥは単一接続から二重接続状態に変換する過程には、ＭｅＮＢは受信端のＰＤＣＰに対して時間長さが合理的であるタイマーを配置すべく、タイマーは分割ベアラにマッピングするＲＬＣモードに関連する時間長さ値を設定する。
【００６８】
なお、本実施例はダウンリンクデータを例とするが、アップリンクデータに対応する伝送も同様な手段を採用し、単にアップリンクデータについて、ＭｅＮＢがデータの受信端とし、対応するＰＤＣＰのタイマーの時間長さがＭｅＮＢで直接に計算し確定される。
【００６９】
実施例２
システムアーキテクチャ及びユーザプレーンモードにおいて、データ受信端のＰＤＣＰは２つの対応するＲＬＣからデータパケット（ＰＤＣＰ ＰＤＵ）を受信する。従来の標準規定により、ＰＤＣＰ ＰＤＵはＳＮで標記し、対応的に、タイマーの起動を触発する条件は、ＰＤＣＰが前の１つのＰＤＵのＳＮに連続しない新たなＰＤＵを受信したことを含む。タイマー停止の条件は、タイマーが運行する期間には、ＰＤＣＰがタイマーの起動を触発するＰＤＵ ＳＮの前の順序付けを行う必要があるＰＤＵを受信し、タイマーのタイミング時間長さに順序付けを行う必要があるＰＤＵを受信していないと、タイマーがタイムアウト後停止することを含む。
【００７０】
図７は、本発明のデータ伝送を実現する第２実施例の模式図であり、図７に示すように、図においてＳＮｘでユーザプレーンアーキテクチャで、データ受信端のＰＤＣＰエンティティの受信したＲＬＣからのＰＤＣＰ ＰＤＵ及びその標記値を示し、ＰＤＵは２つのＲＬＣの中の1つからのものである可能性がある。また、ダウンリンクデータの伝送を例として、分割ポリシーはＭｅＮＢが３つのデータパケット（例えばＳＮ１〜ＳＮ３）を送信するたびに、ＳｅＮＢは２つのデータパケット（例えばＳＮ４〜ＳＮ５）を分割送信する。ＵＥのＰＤＣＰはＭｅＮＢ端に対応するＲＬＣからのＳＮ１〜ＳＮ３を受信し、これらのデータパケットは順次且つ連続的なものであり、このため、ＰＤＣＰはこれらのデータパケットを処理した後上層に送信する。ＰＤＣＰの期待する次の受信するＰＤＵはＳＮ４であるべきである、しかし、伝送路遅延が異なる等の原因により、ＭｅＮＢ端に対応するリンクは伝送速度がより速い可能性があるので、ＰＤＣＰが実際にＰＤＵ ＳＮ６を受信し、データ受信端のＰＤＣＰが受信したいずれかのＲＬＣから伝送された１つのＰＤＣＰ ＰＤＵのシリアル番号ＳＮは受信した前の１つのＰＤＵのＳＮに連続しないタイマー起動条件が現れ、配置されたタイマーは計時を起動し始める。
【００７１】
タイマーが運行する期間には、ＵＥのＰＤＣＰは更にＰＤＵ ＳＮ７、ＳＮ４、ＳＮ５を受信し、本実施例について、ＰＤＵ ＳＮ５を受信した時、タイマー起動を触発するＰＤＵ ＳＮ６の前のデータパケットはいずれも受信され、すると、タイマーが計時を停止し、タイマーの運行期間に受信したデータパケットＳＮ４〜ＳＮ７は順序付けを行うことができ、ＰＤＣＰはデータパケットを順序付けて処理した後上層に送信する。
【００７２】
その後、ＰＤＣＰはＲＬＣからのＰＤＵ ＳＮ８を受信し、次のパケットはＰＤＵ ＳＮ９を受信することを期待すべく、しかし、図に示すように、ＰＤＣＰの受信したのはＰＤＵ ＳＮ１１であるので、タイマーが再び起動して計時する。
【００７３】
タイマーの運行期間に、ＰＤＣＰはＰＤＵ ＳＮ１２等の後続のデータパケットを受信したが、タイマーのタイムアウトまで、ＰＤＵ ＳＮ９、ＰＤＵ ＳＮ１０が受信されていない。タイマータイムアウト後、 ＰＤＣＰはＰＤＵ ＳＮ９、ＰＤＵ ＳＮ１０が既に紛失したと認定すると、ＰＤＣＰは前記タイマー運行期間に受信したデータパケットを順序付けて処理した後、上層に送信する。
【００７４】
また、ＰＤＣＰはデータパケットが紛失したことを認定した後、データ送信端へステータスレポートをフィードバックすることにより前記成功に受信されていないデータパケットを再送することを要求し、これは本特許の発明の技術的手段に影響しない。
【００７５】
なお、本実施例のデータパケットが順次にＰＤＣＰに達したことを例として、実際にＰＤＣＰが２つの独立的なＲＬＣに対するので、ＲＬＣからのデータパケットが同時にＰＤＣＰに達する場合がある可能性がある。合理的に、いずれかのＰＤＣＰに対して、配置されたタイマーが既に計時を起動する期間に、再び新たなタイマーを起動すべきではない。タイマー停止後、 ＰＤＣＰはタイマー運行期間に受信したすべてのデータパケットに順序付け等の機能の処理を行う。また、本実施例はダウンリンクデータの伝送を例として、分割ベアラはアップリンクデータであると、対応するタイマーの起動/停止条件も同じであり、ただＭｅＮＢ内に運行するだけである。
【００７６】
実施例３
ＲＬＣ ＡＭにマッピングされた分割ベアラに対して、ＳｅＮＢのリソースが解放された後、受信端で成功に受信されていないＰＤＣＰデータパケットは送信端で再送すべきである。そこで、再送するデータパケットに合理的な時間を保留するとともに待ち時間が長すぎることによりシステム性能を低下させないために、運行するタイマーを再び起動することができる。
【００７７】
図８は、本発明がデータ伝送を実現する第３実施例のフローチャートであり、図８に示すように、ＭｅＮＢはＵＥがＤＣ状態にあることができるように配置する。無線環境及び/又はノード負荷状況等の情報により、ＭｅＮＢはＳｅＮＢで負担する分割リソースを除去すると決定する時、
ステップ８００、ＭｅＮＢがＳｅＮＢ除去ポリシー情報を送信し、即ちＳｅＮＢに解放を通知する。
【００７８】
ステップ８０１、ＳｅＮＢは解放要求を受信し応答メッセージを返信する。
【００７９】
ステップ８０２、ＭｅＮＢはＲＲＣメッセージによりＵＥに新たなリソース配置を指示する。
【００８０】
ステップ８０３、ＵＥは受信した制御プレーンメッセージによってＳｅＮＢセルを離れ、即ちＭｅＮＢのみと接続を保持する状態に回復する。
【００８１】
分割ベアラをＲＬＣ ＡＭにマッピングしていると、分割リンクがまだ成功に伝送されないＰＤＣＰ ＰＤＵに対して、分割リンクを解放した後、データ受信端はＰＤＣＰステータスレポートによりデータ送信端へ指示することができる。送信端はステータスレポートにより受信端が成功に受信されていないＰＤＵを再送することができる。
【００８２】
タイマーが再起動した後の運行期間内に順序付けを行う必要があるデータパケットを受信していると、タイマーが停止し、受信端ＰＤＣＰは受信したデータパケットを順序付けて処理した後上層に送信する。
【００８３】
タイマーが再起動した後の運行期間内にすべての順序付けを行う必要があるデータパケットを受信していないと、タイマーのタイムアウト後、受信端ＰＤＣＰは受信したデータパケットを順序付けて処理後、上層に送信する。
【００８４】
このように、分割ベアラの伝送リンクに変更が発生した後、受信端は再送する必要があるデータパケットに一定の待ち時間を保留し、同時にあまりにも長い間待っていることによりデータリンクの渋滞等の状況を引き起こして性能に影響することがない。
【００８５】
当業者は、上記方法における全部又は一部のステップを、プログラムが関連のハードウェアを指令することにより完成することができ、プログラムをコンピュータ可読記憶媒体、例えば読み出し専用メモリ、ディスク又はＣＤなどに記憶しておくことができることを理解することができる。選択的に、上記実施例の全部又は一部のステップは、１つ又は複数の集積回路を採用して達成することもできる。対応的には、上記実施例における各モジュール/ユニットはハードウェアの形式で達成してもよく、ソフトウェア機能モジュールの形式で達成してもよい。本発明はいずれも、特定形式のハードウェアとソフトウェアの組み合わせに限定されるものではない。
【００８６】
本出願に開示した実施の形態を以上に説明したが、前記の内容はただ本出願を理解するために採用した実施の形態であり、本出願を限定するためのものではない。任意の当業者は、本出願に開示の下の趣旨及び範囲を逸脱しない上で、実施の形式及び細部について任意の修正及び変更を行うことができるが、本出願の特許保護範囲は、付属する請求の範囲で決めた範囲を基準とする。
【産業上の利用可能性】
【００８７】
本発明の実施例はＰＤＣＰでタイマーの起動条件を設定することにより、データパケットの伝送を行う時、タイミング時間長さ内にデータパケットを伝送して順序付けて、タイマー停止条件を満たす時、タイマーを停止して続いてデータパケット伝送を行うことを実現する。ＰＤＣＰデータパケットの効率的な順序付き伝送を実現する。
【図１】
2017510148.tif 000003
【図２】
2017510148.tif 000004
【図３】
2017510148.tif 000005
【図４】
2017510148.tif 000006
【図５】
2017510148.tif 000007
【図６】
2017510148.tif 000008
【図７】
2017510148.tif 000009
【図８】
2017510148.tif 000010
【国際調査報告】
2017510148.tif 000011
2017510148.tif 000012
2017510148.tif 000013
2017510148.tif 000014